(57)【要約】【課題】  閲覧許可されていないユーザが不正にコンテンツを閲覧することを防止し、安全なコンテンツ閲覧環境を実現することができる表示制御装置を提供する。【解決手段】  コンテンツに対するユーザ毎のアクセス権を取得するアクセス権取得手段１２と、アクセス権取得手段１２で取得されたアクセス権に従って端末の表示装置２の画面表示を制御する表示制御手段１３と、指定された物理空間の範囲内に位置するユーザの情報を取得するユーザ情報取得手段１５を備え、表示制御手段１３はユーザ情報取得手段１５で取得されたユーザのアクセス権に従って画面表示を制御する表示制御装置１。【選択図】        図１
2007188264.tif 000002
【特許請求の範囲】
【請求項１】
コンテンツに対するユーザ毎のアクセス権を取得するアクセス権取得手段と、該アクセス権取得手段で取得されたアクセス権に従って端末の表示装置の画面表示を制御する表示制御手段と、指定された物理空間の範囲内に位置するユーザの情報を取得するユーザ情報取得手段とを備え、前記表示制御手段は前記ユーザ情報取得手段で取得されたユーザのアクセス権に従って画面表示を制御することを特徴とする表示制御装置。
【請求項２】
請求項１に記載の表示制御装置において、前記ユーザ情報取得手段は端末の物理的位置を含む物理空間範囲に従ってユーザの情報を取得することを特徴とする表示制御装置。
【請求項３】
請求項１に記載の表示制御装置において、前記ユーザ情報取得手段は複数の物理空間の範囲内に位置するユーザの情報を取得することを特徴とする表示制御装置。
【請求項４】
請求項１乃至３のいずれか一項に記載の表示制御装置において、前記表示制御手段はコンテンツを表示しないよう制御することを特徴とする表示制御装置。
【請求項５】
請求項１乃至３のいずれか一項に記載の表示制御装置において、前記表示制御手段は表示代替用コンテンツを表示するよう制御することを特徴とする表示制御装置。
【請求項６】
請求項１乃至３のいずれか一項に記載の表示制御装置において、前記表示制御手段はコンテンツを縮小して表示するよう制御することを特徴とする表示制御装置。
【請求項７】
請求項１乃至３のいずれか一項に記載の表示制御装置において、前記表示制御手段はコンテンツの一部を表示するよう制御することを特徴とする表示制御装置。
【発明の詳細な説明】
【技術分野】
【０００１】
本発明は、端末の表示装置の画面表示を制御する表示制御装置に関する。
【背景技術】
【０００２】
コンテンツに対するユーザ毎のアクセス権を取得するアクセス権取得手段で取得されたアクセス権に従って端末の表示装置の画面表示を制御する表示制御装置に関連して、特許文献１記載の技術では、アクセス管理サーバを利用してコンテンツ要求元のアクセス権を判定することで、コンテンツに対するアクセス制御を実現している。
また、特許文献２記載の技術では、コンテンツアクセスを許可されたユーザは鍵データを所持し、該鍵を用いてコンテンツアクセスを行うことで、不正ユーザによるコンテンツ閲覧を防止している。
さらに、特許文献３記載の技術では、赤外線通信によって端末の周囲のユーザＩＤを特定し、該ＩＤに従って端末を制御することで、表示装置の低消費電力化、及び表示情報に関するセキュリティを向上するセキュリティシステムが提供されている。
【特許文献１】特開２００３−６７５２７公報
【特許文献２】特開２００５−１２４１５０公報
【特許文献３】特開２０００−６６７７５公報
【発明の開示】
【発明が解決しようとする課題】
【０００３】
特許文献１に記載の技術では、アクセス管理サーバを利用してネットワーク上からのコンテンツアクセス制御を実現しているが、アクセス許可されたユーザが端末装置で該コンテンツを閲覧する際に、許可されていないユーザが前記端末装置の周囲から覗き見してしまうことを回避できないという問題がある。
また、特許文献２に記載の技術では、コンテンツアクセス用鍵データを利用したコンテンツアクセス制御を実現しているが、同様にアクセス許可されたユーザが端末装置で該コンテンツを閲覧する際に、許可されていないユーザが前記端末装置の周囲から覗き見してしまうことを回避できないという問題がある。
特許文献３に記載の技術では、ユーザ毎にアクセス権を設定して、端末の制御を行っているが、コンテンツ毎のアクセス権に応じたきめ細かなアクセス制御を実現しておらず、十分なセキュリティが確保されていないという問題がある。
本発明は、上記課題を解決し、閲覧許可されていないユーザが不正にコンテンツを閲覧することを防止し、安全なコンテンツ閲覧環境を実現することができる表示制御装置を提供することを目的とするものである。
【課題を解決するための手段】
【０００４】
上記目的を達成するために、請求項１記載の発明は、コンテンツに対するユーザ毎のアクセス権を取得するアクセス権取得手段と、該アクセス権取得手段で取得されたアクセス権に従って端末の表示装置の画面表示を制御する表示制御手段と、指定された物理空間の範囲内に位置するユーザの情報を取得するユーザ情報取得手段とを備え、前記表示制御手段は前記ユーザ情報取得手段で取得されたユーザのアクセス権に従って画面表示を制御することを特徴とする。
請求項２記載の発明は、請求項１に記載の表示制御装置において、前記ユーザ情報取得手段は端末の物理的位置を含む物理空間範囲に従ってユーザの情報を取得することを特徴とする。
請求項３記載の発明は、請求項１に記載の表示制御装置において、前記ユーザ情報取得手段は複数の物理空間の範囲内に位置するユーザの情報を取得することを特徴とする。
請求項４記載の発明は、請求項１乃至３のいずれか一項に記載の表示制御装置において、前記表示制御手段はコンテンツを表示しないよう制御することを特徴とする。
請求項５記載の発明は、請求項１乃至３のいずれか一項に記載の表示制御装置において、前記表示制御手段は表示代替用コンテンツを表示するよう制御することを特徴とする。
請求項６記載の発明は、請求項１乃至３のいずれか一項に記載の表示制御装置において、前記表示制御手段はコンテンツを縮小して表示するよう制御することを特徴とする。
請求項７記載の発明は、請求項１乃至３のいずれか一項に記載の表示制御装置において、前記表示制御手段はコンテンツの一部を表示するよう制御することを特徴とする。
【発明の効果】
【０００５】
本発明の表示制御装置は、コンテンツに対するユーザ毎のアクセス権を取得するアクセス権取得手段と、アクセス権取得手段で取得されたアクセス権に従って端末の表示装置の画面表示を制御する表示制御手段と、指定された物理空間の範囲内に位置するユーザの情報を取得するユーザ情報取得手段を備え、表示制御手段はユーザ情報取得手段で取得されたユーザのアクセス権に従って画面表示を制御するので、閲覧許可されていないユーザが不正にコンテンツを閲覧することを防止し、安全なコンテンツ閲覧環境を実現することができる。
【発明を実施するための最良の形態】
【０００６】
以下、本発明の実施形態を図面に従って説明する。
図１は本発明の実施形態に係る表示制御装置のブロック図である。表示制御装置１は端末の表示装置２における画面表示を制御する。
この表示制御装置１は、コンテンツアクセス権データベース１１と、コンテンツアクセス権データベース１１からコンテンツに対するユーザ毎のアクセス権を取得するアクセス権取得手段１２と、アクセス権取得手段１２で取得されたアクセス権に従って端末の表示装置２の画面表示を制御する表示制御手段１３と、位置情報データベース１４と、位置情報データベース１４から指定された物理空間の範囲内に位置するユーザの情報を取得するユーザ情報取得手段１５を備える。そして、表示制御手段１３は、ユーザ情報取得手段１５で取得されたユーザのアクセス権に従って画面表示を制御する。
アクセス権はユーザ、またはユーザが所属するグループに対するコンテンツへの閲覧権限が含まれ、コンテンツへの書き込み権限、実行権限などが含まれてもよい。前記物理空間の範囲は異なる２点を指定した矩形、または１点と半径を指定した円などでもよい。
前記ユーザ情報取得手段１５で取得されるユーザの情報はユーザの識別情報が含まれ、位置情報、嗜好情報、ユーザが所属するグループに関する情報などが含まれてもよい。前記識別情報はＵＲＩ（Uniform Resource Identifier）でもよい。また、前記ユーザの情報の記述形式はＸＭＬ（eXtensible Markup Language）のように構造化された形式で記述されてもよく、テキスト形式のように構造化されていない形式でもよい。
【０００７】
［実施例１］
図２は実施例１における表示制御方法を示すフローチャートである。まずユーザＡは端末の入力装置を利用して範囲を指定する。端末としてはノートＰＣ、携帯電話、またはＰＤＡなどがある。以下では端末がノートＰＣとして例を示す。
例えば予めユーザＡはノートＰＣを操作して、範囲の中心のｘ座標として「１０」、ｙ座標として「５」（図３（１））、半径として「２０」（図３（２））を指定しておく。その後ユーザＡにより表示装置２でのコンテンツ閲覧が要求されると、指定された範囲が読み込まれ（Ｓ１）、前記指定された範囲内に位置するユーザの情報が取得され（Ｓ２）、表示コンテンツのアクセス権が取得される（Ｓ３）。
その後取得したユーザの情報、及びアクセス権から指定範囲内に閲覧許可されていない不正ユーザが存在するか否かが判定され（Ｓ４）、不正ユーザが存在すれば表示制御処理が行われる（Ｓ５）。そうでなければ、表示装置２にコンテンツが表示され（Ｓ６）、再度ユーザ情報の取得処理が行われる（Ｓ２）。
このように実施例１では、指定範囲内に位置するユーザに対するコンテンツアクセス権に従って、端末の表示装置２の画面表示を制御することで、閲覧許可されていないユーザが不正にコンテンツを閲覧することを防止し、安全なコンテンツ閲覧環境を実現することができる。
【０００８】
［実施例２］
実施例２においては、ユーザ情報取得手段１５は端末の物理的位置を含む物理空間範囲に従ってユーザの情報を取得する。
図４は実施例２における表示制御方法を示すフローチャートである。まずユーザＡは端末の入力装置を利用して範囲を指定する。端末してはノートＰＣ、携帯電話、またはＰＤＡなどがある。以下では端末がノートＰＣとして例を示す。
例えば予めユーザＡはノートＰＣを操作して、範囲の半径として「２０」を指定しておく（図５）。その後ユーザＡにより表示装置２でのコンテンツ閲覧が要求されると、前記端末の位置が取得され（Ｓ１）、指定された範囲が読み込まれる（Ｓ２）。ここで以後の動作（Ｓ３〜Ｓ７）は実施例１（図２のＳ１〜Ｓ６）と同様であるので省略する。
このように実施例２では、端末の物理的位置に従った指定範囲内に位置するユーザのコンテンツアクセス権に従って表示制御することで、端末の移動に関わらず端末の周囲に存在するユーザによるコンテンツの不正閲覧を防止することができる。
【０００９】
［実施例３］
実施例３においては、ユーザ情報取得手段１５は複数の物理空間の範囲内に位置するユーザの情報を取得する。
実施例３における表示制御方法では、ユーザＡによって複数の範囲指定が行われる（図６）。ここで以後の動作は実施例１（図２のＳ１〜Ｓ６）と同様であるので省略する。
このように実施例３では、複数の物理的空間を含む指定範囲内に位置するユーザのコンテンツアクセス権に従って表示制御することで、複数の物理空間で構成される範囲内に表示されるコンテンツの不正閲覧を防止でき、また複数端末上のコンテンツの不正閲覧も防止することができる。
［実施例４］
実施例４においては、表示制御手段１３はコンテンツを表示しないよう制御する。
実施例４における表示制御方法では、表示装置２でコンテンツが表示されている際に（図７）、指定範囲内に閲覧許可されていない不正ユーザが存在すれば、表示制御（図２のＳ５）としてコンテンツを非表示する（図８）。
このように実施例４では、コンテンツを非表示することで、指定範囲内に位置し、閲覧許可されていないユーザによるコンテンツの不正閲覧を防止することができる。
【００１０】
［実施例５］
実施例５においては、表示制御手段１３は表示代替用コンテンツを表示するよう制御する。
実施例５における表示制御方法では、表示装置２でコンテンツが表示されている際に（図７）、指定範囲内に閲覧許可されていない不正ユーザが存在すれば、表示制御（図２のＳ５）として、図示を省略した代替コンテンツ保持手段で保持されている表示代替用コンテンツを表示する（図９）。
このように実施例５では、表示代替用コンテンツをコンテンツの代わりに表示することで、指定範囲内に位置し、閲覧許可されていないユーザによるコンテンツの不正閲覧を防止することができる。
［実施例６］
実施例６においては、表示制御手段１３はコンテンツを縮小して表示するよう制御する。
実施例６における表示制御方法では、表示装置２でコンテンツが表示されている際に（図７）、指定範囲内に閲覧許可されていない不正ユーザが存在すれば、表示制御（図２のＳ５）としてコンテンツを縮小して表示する（図１０）。
このように実施例６では、コンテンツを縮小して表示することで、閲覧許可されているユーザが引き続き端末でコンテンツを閲覧することを可能にしつつ、指定範囲内に位置する閲覧許可されていないユーザによるコンテンツの不正閲覧を制限することができる。
【００１１】
［実施例７］
実施例７においては、表示制御手段１３はコンテンツの一部を表示するよう制御する。
実施例７における表示制御方法では、表示装置２でコンテンツが表示されている際に（図７）、指定範囲内に閲覧許可されていない不正ユーザが存在すれば、表示制御（図２のＳ５）としてコンテンツの一部を表示する（図１１）。
このように実施例７では、コンテンツの一部を表示することで、閲覧許可されているユーザが引き続き端末でコンテンツを閲覧することを可能にしつつ、指定範囲内に位置する閲覧許可されていないユーザによるコンテンツの不正閲覧を制限することができる。
【図面の簡単な説明】
【００１２】
【図１】本発明の実施形態に係る表示制御装置のブロック図。
【図２】実施例１における表示制御方法を示すフローチャート。
【図３】範囲指定の第１の例を示す図。
【図４】実施例２における表示制御方法を示すフローチャート。
【図５】範囲指定の第２の例を示す図。
【図６】範囲指定の第３の例を示す図。
【図７】表示されるコンテンツの一例を示す図。
【図８】表示制御の第１例を示す図。
【図９】表示制御の第２例を示す図。
【図１０】表示制御の第３例を示す図。
【図１１】表示制御の第４例を示す図。
【符号の説明】
【００１３】
１  表示制御装置、１２  アクセス権取得手段、１３  表示制御手段、１５  ユーザ情報取得手段、２  表示装置
【図１】
2007188264.tif 000003
【図２】
2007188264.tif 000004
【図３】
2007188264.tif 000005
【図４】
2007188264.tif 000006
【図５】
2007188264.tif 000007
【図６】
2007188264.tif 000008
【図７】
2007188264.tif 000009
【図８】
2007188264.tif 000010
【図９】
2007188264.tif 000011
【図１０】
2007188264.tif 000012
【図１１】
2007188264.tif 000013